(57)【要約】【課題】デジタルスチルカメラや一眼レフレックスカメラ等に好適な小型のリレー式ファインダー光学系を提供することを目的とする。【解決手段】  光軸に沿って物体側から順に、一次像Ｉ１から二次像Ｉ２を形成するための正の屈折力を有するリレーレンズ群３，４と、前記二次像Ｉ２を観察するための正の屈折力を有する接眼レンズ群５，６を有し、前記リレーレンズ群は、光軸沿って物体側から順に、リレー前群３とリレー後群４からなり、前記一次像Ｉ１からの光路が前記リレー前群３と前記リレー後群４との間の光路で交差するリレー式ファインダー光学系Ｍ。【選択図】図２
2007212677.tif 000002
【特許請求の範囲】
【請求項１】
光軸に沿って物体側から順に、一次像から二次像を形成するための正の屈折力を有するリレーレンズ群と、前記二次像を観察するための正の屈折力を有する接眼レンズ群を有し、
前記リレーレンズ群は、光軸に沿って物体側から順に、リレー前群とリレー後群からなり、
前記一次像からの光路が前記リレー前群と前記リレー後群との間の光路で交差させる光学手段を有することを特徴とするリレー式ファインダー光学系。
【請求項２】
前記二次像は前記リレーレンズ群と前記接眼レンズ群の間に形成され、
前記リレー後群は、前記二次像の近傍に配設されていることを特徴とする請求項１に記載のリレー式ファインダー光学系。
【請求項３】
前記リレー前群は、光軸に沿って物体側から順に、正の屈折力を有する単レンズと、負の屈折力を有する単レンズと、正の屈折力を有する単レンズからなり、
前記リレー後群は、正の屈折力を有する単レンズのみからなることを特徴とする請求項１または２に記載のリレー式ファインダー光学系。
【請求項４】
前記接眼レンズ群は、光軸に沿って物体側から順に、正の屈折力を有する接眼前群と、正の屈折力を有する接眼後群からなり、
前記接眼前群を光軸方向に移動させることにより視度調節を行うことを特徴とする請求項１から３のいずれか１項に記載のリレー式ファインダー光学系。
【請求項５】
前記リレーレンズ群は、１枚の非球面レンズを有することを特徴とする請求項１から４のいずれか１項に記載のリレー式ファインダー光学系。
【請求項６】
前記リレーレンズ群及び前記接眼レンズ群の少なくとも１つのレンズはプラスチックレンズからなることを特徴とする請求項１から５のいずれか１項に記載のリレー式ファインダー光学系。
【請求項７】
請求項１から６のいずれか１項に記載のリレー式ファインダー光学系を具備してなることを特徴とする撮像装置。
【発明の詳細な説明】
【技術分野】
【０００１】
本発明は、デジタルスチルカメラや一眼レフレックスカメラ等に用いられるリレー式ファインダー光学系に関する。
【背景技術】
【０００２】
従来、一眼レフレックスカメラ等のファインダー光学系を小型化するためにリレー式ファインダー光学系が提案されている（例えば、特許文献１参照）。
【特許文献１】特開平１−１０１５３４号公報。
【発明の開示】
【発明が解決しようとする課題】
【０００３】
しかしながら、特許文献１に開示されているリレー式ファインダー光学系は、リレーレンズ群と接眼レンズ群との間で焦点板からの光束が接眼レンズ群への光束と交差する構成であるが、リレーレンズ群と接眼レンズ群が焦点板からの光束に干渉しないようにするために、リレーレンズ群と接眼レンズ群との空気間隔を大きく空ける必要があり、カメラの前方にリレーレンズ群が突出し小型化が難しいと言う問題がある。
【０００４】
本発明は、上記課題に鑑みて行われたものであり、デジタルスチルカメラや一眼レフレックスカメラ等に好適な小型のリレー式ファインダー光学系を提供することを目的とする。また、このリレー式ファインダー光学系を具備する撮像装置を提供することを目的とする。
【課題を解決するための手段】
【０００５】
上記課題を解決するために、本発明は、光軸に沿って物体側から順に、一次像から二次像を形成するための正の屈折力を有するリレーレンズ群と、前記二次像を観察するための正の屈折力を有する接眼レンズ群を有し、前記リレーレンズ群は、光軸に沿って物体側から順に、リレー前群とリレー後群からなり、前記一次像からの光路が前記リレー前群と前記リレー後群との間の光路で交差させる光学手段を有することを特徴とするリレー式ファインダー光学系を提供する。
【０００６】
また、本発明は、前記リレー式ファインダー光学系を具備してなることを特徴とする撮像装置を提供する。
【発明の効果】
【０００７】
本発明によれば、デジタルスチルカメラや一眼レフレックスカメラ等に好適な小型のリレー式ファインダー光学系を提供することができる。また、このリレー式ファインダー光学系を具備する撮像装置を提供することができる。
【発明を実施するための最良の形態】
【０００８】
以下、本発明の実施の形態にかかる撮像装置に関し図面を参照しつつ説明する。
【０００９】
図１は、後述する本発明にかかるリレー式ファインダー光学系を有する本発明にかかる撮像装置の概略構成図である。
【００１０】
図１において、本発明にかかる撮像装置１０（例えば、一眼レフレックスカメラ等）は、不図示の被写体からの光が、撮影レンズ１１を通過してクイックリターンミラー１２に入射し、反射されて一次像面に配置された焦点板Ｉ１に一次像を形成する。焦点板Ｉ１に結像された被写体像からの光束は、後述するリレー式ファインダー光学系Ｍに入射して撮像装置１０の後方のファインダー窓１４を介して撮影者に観察される。撮影者は、被写体像を観察し、不図示のレリーズ釦を押し込むことでクイックリターンミラー１２が撮影レンズ１１の光路から退避し不図示のシャッターが動作して撮像素子（例えば、ＣＣＤやＣＭＯＳ等）１５で撮像され不図示のメモリに記録される。記録された画像は、背面の液晶モニタ１６に表示されて撮影者に確認される。このようにして、後述する本発明にかかるリレー式ファインダー光学系Ｍを有する撮像装置１０が構成されている。
【００１１】
本発明にかかる撮像装置１０は、後述するリレー式ファインダー光学系Ｍを内蔵しているため、撮影レンズ１１の光軸Ｉ１１の位置とリレー式ファインダー光学系Ｍの接眼レンズ群の光軸ＩＰの位置を近づけることが可能になり、液晶モニタ１６に表示される被写体像や撮像装置１０の各種情報をより観察しやすくする事ができる。また、小型のリレー式ファインダー光学系Ｍを用いているため、より小型の撮像装置１０を構成することができる。
【００１２】
また、本発明にかかる撮像装置１０は、撮像装置１０内のクイックリターンミラー１２と、リレー式ファインダー光学系Ｍに内蔵された３個の反射面により、ファインダー窓１４から正立化された被写体像を撮影者が観察することができる。
【００１３】
次に、本発明の実施の形態にかかるリレー式ファインダー光学系Ｍに関し、図１とそれぞれの添付図面を参照しつつ説明する。
【００１４】
（第１実施の形態）
図２は本発明の第１実施の形態にかかるリレー式ファインダー光学系Ｍの概略構成図である。
【００１５】
図２において、撮像装置１０の一次像が形成される焦点板Ｉ１からの光束は、光路を略９０度折り曲げるための第１光学部材Ｍ１で撮像装置１０の前方（図１の紙面左側方向）に偏向され、光路偏向部材である第２光学部材Ｍ２に入射し略９０度光路を撮像装置１０の下方（図１の紙面下方）に偏向される。第２光学部材Ｍ２で偏向された光束は、リレーレンズ群のリレー前群３に入射し射出して、第３光学部材Ｍ３に入射し略９０度偏向されて撮像装置１０の後方（図１の紙面右側方向）に射出してリレーレンズ群のリレー後群４に入射し、二次結像面Ｉ２に二次像が形成される。二次結像面Ｉ２に形成された二次像をアイポイントＥＰで拡大観察するために、正屈折力の接眼前群５と正屈折力の接眼後群６からなる接眼レンズ群が配置されている。
【００１６】
また、リレー前群３は、光軸に沿って物体側から順に、正屈折力の単レンズＬ３１と、負屈折力の単レンズＬ３２と、正屈折力の単レンズＬ３３とから構成され、リレー後群４は、正屈折力の単レンズＬ４１で構成されている。
【００１７】
また、焦点板Ｉ１からの光束の光路と第３光学部材Ｍ３からの光束の光路は、第３光学部材Ｍ３とリレー後群４の間で交差し、交差している焦点板Ｉ１からの光束に干渉しない位置にリレー後群４が配置されている。
【００１８】
また、リレー式ファインダー光学系Ｍの視度調整は、接眼前群５を光軸方向に移動させることで行うことができる。このようにして、本発明の第１実施の形態に係るリレー式ファインダー光学系Ｍが構成されている。
【００１９】
本発明の第１実施の形態にかかるリレー式ファインダー光学系Ｍは、リレーレンズ群をリレー前群３とリレー後群４に分割し、リレー前群３とリレー後群４の間の光路で焦点板Ｉ１からの光束の光路が交差するように配置することにより、接眼レンズ群の光軸ＩＰの位置を撮影レンズ１１の光軸Ｉ１１の位置に近づけることが可能となり、ファインダー窓１４と液晶モニタ１６の観察の切替を容易にする事ができると共に、リレー式ファインダー光学系Ｍを全体として小型化することが可能となる。
【００２０】
また、リレー前群３を第２光学部材Ｍ２と第３光学部材Ｍ３の間に配置することで焦点板Ｉ１より物体側（図２の紙面の左方向）に光学部材が大きくはみだすことがなく、リレー式ファインダー光学系Ｍの構成部品と撮影レンズ１１との干渉等を防ぐことも可能となる。
【００２１】
デジタル一眼レフレックスカメラの場合、カメラ背面には撮影した画像を表示したり、カメラの各種情報を表示したりする為の液晶モニタ１６を配置している。接眼レンズの光軸ＩＰの位置と撮影レンズ１１の光軸Ｉ１１の位置を近づけることにより、ファインダー窓１４で観察している状態から、液晶モニタ１６の内容を確認する為の眼の移動量は少なくなり、撮影者は容易に情報の切り替えが行えるようになる。
【００２２】
また、リレーレンズ群が二次像を形成する第二結像面Ｉ２の近傍にリレー後群４が配置されている為、リレー後群４と接眼レンズ群とからなる光学系をよりコンパクトに構成することができる。また、リレーレンズ群の瞳位置と、接眼レンズ群の瞳位置を良好に設定することが可能である。
【００２３】
また、リレー前群３を３枚のレンズのみで構成することにより、リレー前群３をコンパクトに構成することができリレーレンズ群の前後に光路折り曲げ用の光学部材を配置する為の間隔を十分に取ることが可能となり、フレア、ゴーストを遮断する為の遮光部材（例えば、開口絞り等）を効果的に配置することが可能となる。
【００２４】
また、リレー後群４を正の屈折力の単レンズのみとすることで、リレー後群４と接眼レンズ群とからなる光学系をコンパクトに構成することができる。また瞳の位置関係を良好に設定することができると共に全体の大きさを小さくすることも可能となる。
【００２５】
また、接眼前群５を光軸方向に移動させることにより視度調節を行うことにより、リレー式ファインダー光学系Ｍの最終レンズ群である接眼後群６を固定することが出来、視度調節に伴う瞳位置の変化、すなわちアイポイントＥＰの位置が変化しないように構成することが可能となる。
【００２６】
従来、最終レンズ群である接眼後群６が視度調節の為に稼動する場合、防塵、防滴、防水構造をとる為に保護ガラスを配置しており、保護ガラスを配置する分アイポイントまでの距離が短くなり、また保護ガラス分のコストアップもあった。本第１実施の形態では、最終レンズ群である接眼後群６が固定されている為、防塵、防滴、防水構造とする為の保護ガラスを配置する必要性がなくなり、アイポイントまでの距離が短くなることもなく、且つコストダウンにもなる。
【００２７】
なお、本第１実施の形態では、光学部材Ｍ１、Ｍ２、及びＭ３は、ミラーが用いられるがプリズム等の光学部材を用いることもできる。
【００２８】
また、リレー前群３は、焦点板Ｉ１と第１光学部材Ｍ１の間、第１光学部材Ｍ１と第２光学部材Ｍ２の間、或いは第３光学部材Ｍ３の直後に配置しても同様の効果を奏することができる。
【００２９】
（第２実施の形態）
図３は、本発明の第２実施の形態にかかるリレー式ファインダー光学系Ｍの概略構成図である。第２実施の形態は、第１実施の形態の第１光学部材Ｍ１と第２光学部材Ｍ２とを一つの光学部材で構成したものである。第１実施の形態と同様の構成には同じ符号を付し説明する。
【００３０】
図３において、撮像装置１０の一次像が形成される焦点板Ｉ１からの光束は、光路を偏向するためのプリズムＰ１に入射する。プリズムＰ１の第１反射面Ｒ１と第２反射面Ｒ２で焦点板Ｉ１からの光束は入射光側に対して略１８０度方向を変えられる。焦点板Ｉ１からの光束の光路を略９０度折り曲げるための第１反射面Ｒ１で撮像装置１０の前方（図１の紙面左側方向）に偏向され、第２反射面Ｒ２で略９０度光路を撮像装置１０の下方（図１の紙面下方）に偏向される。プリズムＰ１から射出した光束は、リレーレンズ群のリレー前群３に入射し射出して、第３光学部材Ｍ３に入射し略９０度偏向されて撮像装置１０の後方（図１の紙面右側方向）に射出してリレーレンズ群のリレー後群４に入射し、二次結像面Ｉ２に二次像が形成される。二次結像面Ｉ２に形成された二次像をアイポイントＥＰで拡大観察するために、正屈折力の接眼前群５と正屈折力の接眼後群６からなる接眼レンズ群が配置されている。
【００３１】
また、リレー前群３は、光軸に沿って物体側から順に、正屈折力の単レンズＬ３１と、負屈折力の単レンズＬ３２と、正屈折力の単レンズＬ３３とから構成され、、リレー後群４は、正屈折力の単レンズＬ４１で構成されている。
【００３２】
また、焦点板Ｉ１からの光束の光路と第３光学部材Ｍ３からの光束の光路は、第３光学部材Ｍ３とリレー後群４の間で交差し、交差している焦点板Ｉ１からの光束に干渉しない位置にリレー後群４が配置されている。
【００３３】
また、リレー式ファインダー光学系Ｍの視度調整は、接眼前群５を光軸方向に移動させることで行うことができる。このようにして、本発明の第２実施の形態に係るリレー式ファインダー光学系Ｍが構成されている。
【００３４】
本発明の第２実施の形態にかかるリレー式ファインダー光学系Ｍは、リレーレンズ群をリレー前群３とリレー後群４に分割し、リレー前群３とリレー後群４の間の光路で焦点板Ｉ１からの光束の光路が交差するように配置することにより、接眼レンズ群の光軸ＩＰの位置を撮影レンズ１１の光軸Ｉ１１の位置に近づけることが可能となり、ファインダー窓１４と液晶モニタ１６の観察の切替を容易にする事ができると共に、リレー式ファインダー光学系Ｍを全体として小型にすることが可能となる。
【００３５】
また、リレー前群３をプリズムＰ１と第３光学部材Ｍ３の間に配置することで焦点板Ｉ１より物体側（図２の紙面の左方向）に光学部材が大きくはみだすことがなく、リレー式ファインダー光学系Ｍの構成部品と撮影レンズ１１との干渉等を防ぐことも可能となる。
【００３６】
デジタル一眼レフレックスカメラの場合、カメラ背面には撮影した画像を表示したり、カメラの各種情報を表示したりする為の液晶モニタ１６を配置している。接眼レンズの光軸ＩＰの位置と撮影レンズ１１の光軸Ｉ１１の位置を近づけることにより、ファインダー窓１４で観察している状態から、液晶モニタ１６の内容を確認する為の眼の移動量は少なくなり、撮影者は容易に情報の切り替えが行えるようになる。
【００３７】
また、リレーレンズ群が二次像を形成する第二結像面Ｉ２の近傍にリレー後群４が配置されている為、リレー後群４と接眼レンズ群とからなる光学系をよりコンパクトに構成することができる。また、リレーレンズ群の瞳位置と、接眼レンズ群の瞳位置を良好に設定することが可能である。
【００３８】
また、リレー前群３を３枚のレンズのみで構成することにより、リレー前群３をコンパクトに構成することができリレーレンズ群の前後に光路折り曲げ用の光学部材を配置する為の間隔を十分に取ることが可能となり、フレア、ゴーストを遮断する為の遮光部材（例えば、開口絞り等）を効果的に配置することが可能となる。
【００３９】
また、リレー後群４を正の屈折力の単レンズのみとすることで、リレー後群４と接眼レンズ群とからなる光学系をコンパクトに構成することができる。また瞳の位置関係を良好に設定することができると共に全体の大きさを小さくすることも可能となる。
【００４０】
また、焦点板Ｉ１からの光路をプリズムＰ１で折り曲げることにより、リレー前群３に不要な光線が入射することを防止することが可能になり、撮影者がファインダー窓１４を覗いたときのフレアーやゴーストを軽減することができる。
【００４１】
また、接眼前群５を光軸方向に移動させることにより視度調節を行うことにより、リレー式ファインダー光学系Ｍの最終レンズ群である接眼後群６を固定することが出来、視度調節に伴う瞳位置の変化、すなわちアイポイントＥＰの位置が変化しないように構成することが可能となる。
【００４２】
従来、最終レンズ群である接眼後群６が視度調節の為に稼動する場合、防塵、防滴、防水構造をとる為に保護ガラスを配置しており、保護ガラスを配置する分アイポイントＥＰまでの距離が短くなり、また保護ガラス分のコストアップもあった。本第２実施の形態では、最終レンズ群である接眼後群６が固定されている為、防塵、防滴、防水構造とする為の保護ガラスを配置する必要性がなくなり、アイポイントＥＰまでの距離が短くなることもなく、且つコストダウンにもなる。
【００４３】
なお、本第２実施の形態では、光学部材Ｍ３は、ミラーが用いられるがプリズム等の光学部材を用いることもできる。
【００４４】
また、リレー前群３は、焦点板Ｉ１とプリズムＰ１の間、或いは第３光学部材Ｍ３の直後に配置しても同様の効果を奏することができる。
【００４５】
（第３実施の形態例）
図４は本発明の第３実施の形態にかかるリレー式ファインダー光学系Ｍの概略構成図である。
図４において、撮像装置１０の一次像を形成する焦点板Ｉ１からの光束は、光路を略９０度折り曲げるための第１光学部材Ｍ１で撮像装置１０の前方（図１の紙面左側方向）に偏向され、光路偏向部材である第２光学部材Ｍ２に入射し略９０度光路を撮像装置１０の下方（図１の紙面下方）に偏向される。第２光学部材Ｍ２で偏向された光束は、リレーレンズ群のリレー前群３に入射し射出して、光路を折り曲げるためのプリズムＰ３に入射し略９０度偏向されて撮像装置１０の後方（図１の紙面右側方向）に射出してリレーレンズ群のリレー後群４に入射し、二次結像面Ｉ２に二次像が形成される。二次結像面Ｉ２に形成された二次像をアイポイントＥＰで拡大観察するために、正屈折力の接眼前群５と正屈折力の接眼後群６からなる接眼レンズ群が配置されている。
【００４６】
また、リレー前群３は、光軸に沿って物体側から順に、正屈折力の単レンズＬ３１と、負屈折力の単レンズＬ３２と、正屈折力の単レンズＬ３３とから構成され、、リレー後群４は、正屈折力の単レンズＬ４１で構成されている。
【００４７】
また、焦点板Ｉ１からの光束の光路とプリズムＰ３からの光束の光路は、プリズムＰ３とリレー後群４の間で交差し、交差している焦点板Ｉ１からの光束に干渉しない位置にリレー後群４が配置されている。
【００４８】
また、リレー式ファインダー光学系Ｍの視度調整は、接眼前群５を光軸方向に移動させることで行うことができる。このようにして、本発明の第３実施の形態に係るリレー式ファインダー光学系Ｍが構成されている。
【００４９】
本発明の第３実施の形態にかかるリレー式ファインダー光学系Ｍは、リレーレンズ群をリレー前群３とリレー後群４に分割し、リレー前群３とリレー後群４の間の光路で焦点板Ｉ１からの光束の光路が交差するように配置することにより、接眼レンズ群の光軸ＩＰの位置を撮影レンズ１１の光軸Ｉ１１の位置に近づけることが可能となり、ファインダー窓１４と液晶モニタ１６の観察の切替を容易にする事ができると共に、リレー式ファインダー光学系Ｍを全体として小型にすることが可能となる。
【００５０】
また、リレー前群３を第２光学部材Ｍ２とプリズムＰ３の間に配置することで焦点板Ｉ１より物体側（図２の紙面の左方向）に光学部材が大きくはみだすことがなく、リレー式ファインダー光学系Ｍの構成部品と撮影レンズ１１との干渉等を防ぐことも可能となる。
【００５１】
デジタル一眼レフレックスカメラの場合、カメラ背面には撮影した画像を表示したり、カメラの各種情報を表示したりする為の液晶モニタ１６を配置している。接眼レンズの光軸ＩＰの位置と撮影レンズ１１の光軸Ｉ１１の位置を近づけることにより、ファインダー窓１４で観察している状態から、液晶モニタ１６の内容を確認する為の眼の移動量は少なくなり、撮影者は容易に情報の切り替えが行えるようになる。
【００５２】
また、リレーレンズ群の第二結像面Ｉ２の近傍にリレー後群４が配置されている為、リレー後群４と接眼レンズ群とからなる光学系をよりコンパクトに構成することができる。また、リレーレンズ群の瞳位置と、接眼レンズ群の瞳位置を良好に設定することが可能である。
【００５３】
また、リレー前群３を３枚のレンズのみで構成することにより、リレー前群３をコンパクトに構成することができリレーレンズ群の前後に光路折り曲げ用の光学部材を配置する為の間隔を十分に取ることが可能となり、フレア、ゴーストを遮断する為の遮光部材（例えば、開口絞り等）を効果的に配置することが可能となる。
【００５４】
また、リレー後群４を正の屈折力の単レンズのみとすることで、リレー後群４と接眼レンズ群とからなる光学系をコンパクトに構成することができる。また瞳の位置関係を良好に設定することができると共に全体の大きさを小さくすることも可能となる。
【００５５】
また、リレー前群３からの光束をプリズムＰ３で光路を偏向するようにしているため、焦点板Ｉ１からの不要な光が直接リレーレンズ群のリレー前群３に入射することを防ぐことが可能となり、撮像装置１０のファインダー１４を覗いた時のフレアやゴーストを軽減ることができる。
【００５６】
また、接眼前群５を光軸方向に移動させることにより視度調節を行うことにより、リレー式ファインダー光学系Ｍの最終レンズ群である接眼後群６を固定することが出来、視度調節に伴う瞳位置の変化、すなわちアイポイントＥＰの位置が変化しないように構成することが可能となる。
【００５７】
従来、最終レンズ群である接眼後群６が視度調節の為に稼動する場合、防塵、防滴、防水構造をとる為に保護ガラスを配置しており、保護ガラスを配置する分アイポイントＥＰまでの距離が短くなり、また保護ガラス分のコストアップもあった。本第３実施の形態では、最終レンズ群である接眼後群６が固定されている為、防塵、防滴、防水構造とする為の保護ガラスを配置する必要性がなくなり、アイポイントＥＰまでの距離が短くなることもなく、且つコストダウンにもなる。
【００５８】
なお、本第３実施の形態では、光学部材Ｍ１、及びＭ２は、ミラーが用いられるがプリズム等の光学部材を用いることもできる。
【００５９】
また、リレー前群３は、焦点板Ｉ１と第１光学部材Ｍ１の間、第１光学部材Ｍ１と第２光学部材Ｍ２の間、或いはプリズムＰ３の直後に配置しても同様の効果を奏することができる。
【００６０】
（第４実施の形態）
図５は本発明の第４実施の形態にかかるリレー式ファインダー光学系Ｍの概略構成図である。
図５において、撮像装置１０の一次像を形成する焦点板Ｉ１からの光束は、光路を略９０度折り曲げるための第１光学部材Ｍ１で撮像装置１０の前方（図１の紙面左側方向）に偏向され、光路偏向部材である第２光学部材Ｍ２に入射し略９０度光路を撮像装置１０の下方（図１の紙面下方）に偏向される。第２光学部材Ｍ２で偏向された光束は、リレーレンズ群のリレー前群３に入射し射出して、第３光学部材Ｍ３に入射し略９０度偏向されて撮像装置１０の後方（図１の紙面右側方向）に射出してリレーレンズ群のリレー後群４に入射し、二次結像面Ｉ２に二次像が形成される。二次結像面Ｉ２に形成された二次像をアイポイントＥＰで拡大観察するために、正屈折力の接眼前群５と正屈折力の接眼後群６からなる接眼レンズ群が配置されている。
【００６１】
また、リレー前群３は、光軸に沿って物体側から順に、正屈折力の単レンズＬ３１と、負屈折力の単レンズＬ３２と、正屈折力の単レンズＬ３３とから構成され、、リレー後群４は、正屈折力の単レンズＬ４１で構成されている。
【００６２】
また、焦点板Ｉ１からの光束の光路と第３光学部材Ｍ３からの光束の光路は、第３光学部材Ｍ３とリレー後群４の間で交差し、交差している焦点板Ｉ１からの光束に干渉しない位置にリレー後群４が配置されている。
【００６３】
また、リレー式ファインダー光学系Ｍの視度調整は、接眼前群５を光軸方向に移動させることで行うことができる。
【００６４】
また、光学部材Ｍ１はハーフミラーで形成され、光学部材Ｍ１で反射された光束は光学部材Ｍ２方向に進行し、光学部材Ｍ１を透過した光束は光学部材Ｍ１の上方に配置された光学部材Ｍ４で反射されて、測光光学系７で測光装置８に集光され撮影レンズ１１に入射した不図示の被写体からの光強度を測定する。このようにして、本発明の第４実施の形態に係るリレー式ファインダー光学系Ｍが構成されている。
【００６５】
本発明の第４実施の形態にかかるリレー式ファインダー光学系Ｍは、リレーレンズ群をリレー前群３とリレー後群４に分割し、リレー前群３とリレー後群４の間の光路で焦点板Ｉ１からの光束の光路が交差するように配置することにより、接眼レンズ群の光軸ＩＰの位置を撮影レンズ１１の光軸Ｉ１１の位置に近づけることが可能となり、ファインダー窓１４と液晶モニタ１６の観察の切替を容易にする事ができると共に、リレー式ファインダー光学系Ｍを全体として小型にすることが可能となる。
【００６６】
また、リレー前群３を第２光学部材Ｍ２と第３光学部材Ｍ３の間に配置することで焦点板Ｉ１より物体側（図２の紙面の左方向）に光学部材が大きくはみだすことがなく、リレー式ファインダー光学系Ｍの構成部品と撮影レンズ１１との干渉等を防ぐことも可能となる。
【００６７】
デジタル一眼レフレックスカメラの場合、カメラ背面には撮影した画像を表示したり、カメラの各種情報を表示したりする為の液晶モニタ１６を配置している。接眼レンズの光軸ＩＰの位置と撮影レンズ１１の光軸Ｉ１１の位置を近づけることにより、ファインダー窓１４で観察している状態から、液晶モニタ１６の内容を確認する為の眼の移動量は少なくなり、撮影者は容易に情報の切り替えが行えるようになる。
【００６８】
また、リレーレンズ群の第二結像面Ｉ２の近傍にリレー後群４が配置されている為、リレー後群４と接眼レンズ群とからなる光学系をよりコンパクトに構成することができる。また、リレーレンズ群の瞳位置と、接眼レンズ群の瞳位置を良好に設定することが可能である。
【００６９】
また、リレー前群３を３枚のレンズのみで構成することにより、リレー前群３をコンパクトに構成することができリレーレンズ群の前後に光路折り曲げ用の光学部材を配置する為の間隔を十分に取ることが可能となり、フレア、ゴーストを遮断する為の遮光部材（例えば、開口絞り等）を効果的に配置することが可能となる。
【００７０】
また、リレー後群４を正の屈折力の単レンズのみとすることで、リレー後群４と接眼レンズ群とからなる光学系をコンパクトに構成することができる。また瞳の位置関係を良好に設定することができると共に全体の大きさを小さくすることも可能となる。
【００７１】
また、接眼前群５を光軸方向に移動させることにより視度調節を行うことにより、リレー式ファインダー光学系Ｍの最終レンズ群である接眼後群６を固定することが出来、視度調節に伴う瞳位置の変化、すなわちアイポイントＥＰの位置が変化しないように構成することが可能となる。
【００７２】
従来、最終レンズ群である接眼後群６が視度調節の為に稼動する場合、防塵、防滴、防水構造をとる為に保護ガラスを配置しており、保護ガラスを配置する分アイポイントＥＰまでの距離が短くなり、また保護ガラス分のコストアップもあった。本第４実施の形態では、最終レンズ群である接眼後群６が固定されている為、防塵、防滴、防水構造とする為の保護ガラスを配置する必要性がなくなり、アイポイントＥＰまでの距離が短くなることもなく、且つコストダウンにもなる。
【００７３】
また、光学部材Ｍ１がハーフミラーで形成されているため、光学部材Ｍ１で反射された光束は光学部材Ｍ２方向に進行し、光学部材Ｍ１を透過した光束は光学部材Ｍ１の上方に配置された光学部材Ｍ４で反射されて、測光光学系７で測光装置８に集光され撮影レンズ１１に入射した不図示の被写体からの光強度を測定することが可能になる。このような構成にすることにより、光学部材Ｍ１の反射光はリレーレンズ群方向へ、透過光は測光光学系７へと光路を分割するが可能になる。これにより測光光学系７は、焦点板Ｉ１を正面から測光することが可能となり、従来のペンタプリズムを用いたファインダーの測光システムのように斜めから測定しなくても良くなり、測光精度を高めることが可能となる。
【００７４】
なお、本第４実施の形態では、光学部材Ｍ２、Ｍ３、及びＭ４は、ミラーが用いられるがプリズム等の光学部材を用いることもできる。
【００７５】
また、リレー前群３は、焦点板Ｉ１と第１光学部材Ｍ１の間、第１光学部材Ｍ１と第２光学部材Ｍ２の間、或いは第３光学部材Ｍ３の直後に配置しても同様の効果を奏することができる。
【００７６】
なお、全ての実施の形態において、リレーレンズ群には１枚の非球面レンズを配置することができる。リレーレンズ群に非球面を１枚を物体側の面に使用することにより球面収差を良好に補正することが可能となり、その他のレンズにて接眼レンズ群との瞳位置を調整しても性能を維持することが可能となる。また、１枚の非球面を接眼レンズ群に近い位置に使用した場合には、その他のレンズにて球面収差の補正を行い、非球面レンズで接眼レンズ群との瞳位置を調整しつつコマ収差を良好に補正することが可能となる。
【００７７】
また、全ての実施の形態において、リレーレンズ群及び接眼レンズ群の少なくとも１つのレンズにプラスチックレンズを用いることができる。このようにプラスチックレンズを用いることによりより一層の低価格化及び軽量化を実現することが可能になる。
【００７８】
また、全ての実施の形態において、リレー前群３を複数に分割して焦点板Ｉ１からリレー後群４までの間に分割された一部のレンズ群を配置するように構成しても良い。
【００７９】
なお、全ての実施の形態では、２群構成のレンズ系を示したが、該２群に付加レンズ群を加えただけのレンズ系も本発明の効果を内在した同等のレンズ系であることは言うまでもない。また、各レンズ群内の構成においても、実施例の構成に付加レンズを加えただけのレンズ群も本発明の効果を内在した同等のレンズ群であることは言うまでもない。
【００８０】
また、上述の実施の形態は例に過ぎず、上述の構成や形状に限定されるものではなく、本発明の範囲内において適宜修正、変更が可能である。
【００８１】
本発明によれば、主としてデジタルスチルカメラや、一眼レフレックス用のファインダーとして使用可能であり、ファインダー光軸を撮影レンズの光軸に近づけることができ、且つ小型のリレー式ファインダー光学系を提供することが可能となる。また、このリレー式ファインダー光学系を有するカメラを提供することが可能になる。
【図面の簡単な説明】
【００８２】
【図１】本発明にかかるリレー式ファインダー光学系を有する本発明にかかる撮像装置の概略構成図である。
【図２】本発明の第１実施の形態にかかるリレー式ファインダー光学系の概略構成図である。
【図３】本発明の第２実施の形態にかかるリレー式ファインダー光学系の概略構成図である。
【図４】本発明の第３実施の形態にかかるリレー式ファインダー光学系の概略構成図である。
【図５】本発明の第４実施の形態にかかるリレー式ファインダー光学系の概略構成図である。
【符号の説明】
【００８３】
３    リレー前群
４    リレー後群
５    接眼前群
６    接眼後群
７    測光光学系
８    測光装置
１０  撮像装置
１１  撮影レンズ
１２  クイックリターンミラー
１４  ファインダー窓
１５  撮像素子
１６  液晶モニタ
Ｉ１  焦点板
Ｉ２  第二結像面
Ｍ１  第１光学部材
Ｍ２  第２光学部材
Ｍ３  第３光学部材
Ｐ１、Ｐ３  プリズム
ＥＰ  アイポイント
【図１】
2007212677.tif 000003
【図２】
2007212677.tif 000004
【図３】
2007212677.tif 000005
【図４】
2007212677.tif 000006
【図５】
2007212677.tif 000007